(57)【要約】  互いに協働する第一の外刃（１０１、１０２）及び第一の下刃（２０）と、肌揺すぶり部材（１２）と、筐体と、筐体内に取り付けられた駆動源（５８）とを含む、第一の剃毛ユニットを備える剃毛器具。外刃は、フレーム（１０）に取り付けられている。駆動源は、第一の下刃に連結されて、７０〜２８０Ｈｚの範囲の周波数の、フレームに関する振動をもたらす。駆動源は、肌揺すぶり部材にも連結されて、５〜５０Ｈｚの範囲の周波数の振動をもたらす。第一の外刃は、フレームに対して駆動されない。
2008505738.tif 000002
【特許請求の範囲】
【請求項１】
剃毛器具において、
互いに協働する第一の外刃（１０１、１０２）及び第一の下刃（２０）を含み、前記外刃がフレーム（１０）に取り付けられている、第一の剃毛ユニットと、
肌揺すぶり部材と、
筐体と、
前記筐体に取り付けられ、前記第一の下刃に連結されている駆動源（５８）であって、前記第一の下刃の前記フレームに対して、それに応じて７０〜２８０Ｈｚの範囲の周波数の振動をもたらし、前記肌揺すぶり部材に連結され、５〜５０Ｈｚの範囲の周波数の振動を前記肌揺すぶり部材にもたらすものである駆動源（５８）と、を備え、
前記第一の外刃が前記フレームに対して静止している、剃毛器具。
【請求項２】
前記第一の下刃の周波数が、前記肌揺すぶり部材の周波数より１桁高い、請求項１に記載の器具。
【請求項３】
前記肌揺すぶり部材が、毛を切断するための構造を有さずに形成される、請求項１又は２に記載の器具。
【請求項４】
前記肌揺すぶり部材が、長毛切断ユニット（１２）の外刃（１３）を含み、かつ第二の下刃（１４）と協働する、請求項１又は２に記載の器具。
【請求項５】
前記第二の下刃が、７０〜２８０Ｈｚの範囲の周波数での駆動のために、前記駆動源に連結されている、請求項４に記載の器具。
【請求項６】
前記第一の剃毛ユニットの反対側において前記肌揺すぶり部材に隣接して配置され、かつ第二の外刃（１０１、１０２）及び追加の下刃（２０）を有する、追加の剃毛ユニットを更に備え、前記第二の外刃が前記フレームに取り付けられ、前記追加の下刃が、それに前記フレームに対して振動をもたらすための前記駆動源に連結されており、前記第二の外刃が前記フレームに対して静止している、請求項１〜６のいずれか一項に記載の器具。
【請求項７】
前記追加の剃毛ユニットの前記下刃が、前記駆動源に連結され、７０〜２８０Ｈｚの範囲の周波数で駆動される、請求項６に記載の器具。
【請求項８】
前記下刃の全てが、同一周波数で駆動するために、前記駆動システムに連結されている、請求項３〜７のいずれか１項に記載の器具。
【請求項９】
前記肌揺すぶり部材が、歯車装置（６０）を介して前記駆動源に連結されている、請求項１〜８のいずれか一項に記載の器具。
【請求項１０】
前記肌揺すぶり部材が、前記第一の下刃の振動の方向に平行な方向に振動するために取り付けられている、請求項１〜９のいずれか一項に記載の器具。
【請求項１１】
前記駆動源（５８）が、前記肌揺すぶり部材に連結され、６〜２８Ｈｚの範囲の周波数の振動をもたらす、請求項１〜１０のいずれか一項に記載の器具。
【請求項１２】
前記駆動源（５８）が、前記肌揺すぶり部材に連結され、実質的に１２Ｈｚの周波数の振動をもたらす、請求項１１に記載の器具。
【請求項１３】
前記駆動源が、前記短毛下刃に直接連結され、前記肌揺すぶり部材に歯車装置を介して間接的に連結される、請求項１〜１２のいずれか一項に記載の器具。
【請求項１４】
前記駆動源が、高速駆動連結具（２２）と相互作用する偏心して回転されるピン（６８）を介して前記短毛下刃に連結される、請求項１３に記載の器具。
【請求項１５】
前記駆動源が、低速駆動連結具（２６）と相互作用する偏心して回転されるピン（７０）を介して前記肌揺すぶり部材に連結される、請求項１３又は１４に記載の器具。
【請求項１６】
肌が、５〜５０Ｈｚの範囲の周波数で振動する揺すぶり部材によって波打たされ、同時に、静止する外刃と７０〜２８０Ｈｚの範囲の周波数で振動する下刃とを有する剃毛ユニットによってひげが剃られる、剃毛方法。
【請求項１７】
前記第一の下刃が、前記肌揺すぶり部材の周波数より１桁高い周波数で振動される、請求項１５に記載の方法。
【請求項１８】
前記揺すぶり部材が、毛を切断せずに肌に係合する、請求項１６又は１７に記載の方法。
【請求項１９】
前記肌揺すぶり部材が、長毛切断ユニット（１２）の外刃（１３）であり、毛を切断する第二の下刃（１４）と協働する、請求項１６又は１７に記載の方法。
【請求項２０】
前記第二の下刃が、７０〜２８０Ｈｚの範囲の周波数で駆動される、請求項１９に記載の方法。
【請求項２１】
前記第一の剃毛ユニットの反対側の前記肌揺すぶり部材に隣接し、第二の外刃（１０１、１０２）と追加の下刃（２０）とを有し、前記追加の下刃が振動され、前記第二の外刃が静止している、追加の剃毛ユニットによって肌がひげ剃りされる、請求項１６〜２０のいずれか１項に記載の方法。
【請求項２２】
前記追加の剃毛ユニットの前記下刃が、７０〜２８０Ｈｚの範囲の周波数で駆動される、請求項２１に記載の方法。
【請求項２３】
前記下刃の全てが同一周波数で駆動される、請求項１９〜２２のいずれか１項に記載の方法。
【請求項２４】
前記肌揺すぶり部材が、前記第一の下刃の振動方向に平行な方向に振動される、請求項１６〜２３のいずれか１項に記載の方法。
【請求項２５】
前記肌揺すぶり部材が、６〜２８Ｈｚの範囲の周波数で振動される、請求項１６〜２４のいずれか１項に記載の方法。
【請求項２６】
前記肌揺すぶり部材が、実質的に１２Ｈｚの周波数で振動される、請求項１６〜２５のいずれか１項に記載の方法。
【発明の詳細な説明】
【技術分野】
【０００１】
本発明は、筐体内に設けられた駆動源と、外刃、及びその間で相対移動するように取り付けられた下刃を有する少なくとも１つの剃毛ユニットと、剃毛ユニットに隣接して取り付けられた肌揺すぶり部材と、を備える、ドライ剃毛器具に関する。本発明は、又、剃毛方法にも関する。
【背景技術】
【０００２】
本明細書は主として、米国特許第５，１８５，９２６号（ロック（Locke））又は第５，３９８，４１２号（タナハシ（Tanahashi）ら）に記載されるような、線状に振動する内刃を備えて長手方向に延びる剃毛ユニットを有するシェーバーに関係するが、記述されるその原理は、日本特許公報第５３１７５３５号（JP-A-5 317 535）（ヤマシタ（Yamashita））又はＰＣＴ国際公開特許ＷＯ９６／０２３６８（スターク（Sterk）ら）により既知のような、回転内刃を備えるドライシェーバーにも容易に適用できることを理解されるであろう。
【０００３】
加えて、本明細書は又、少なくとも１つの剃毛ユニットと、シェーバー筐体上に固定して取り付けられた−米国特許第５，１８５，９２６号（US-A-5,185,926）（ロック（Locke））−又はせん断ヘッドフレームに浮遊可能に取り付けられた−ドイツ特許第４３１３３７１号（DE 43 13 371 C2）（タナハシ（Tanahashi）ら）−又はシェーバー筐体上に旋回可能に取り付けられたせん断ヘッドに取り付けられた、ＰＣＴ国際公開特許ＷＯ９３／１２９１６（ウェツェル（Wetzel）ら）、肌揺すぶり部材とを備える、ドライ剃毛器具に関係する。
【０００４】
薄刃型のドライ剃毛器具は短いひげを取り除くのに非常に有効に作用するが、二、三日のひげの伸びを象徴する長さの毛の場合には、問題が起きることがある。そのような毛は、もはや薄刃の開口を容易に貫通することがなく、したがって、下刃と薄刃の間の交差によって切断されない。この問題に立ち向かうために、長年にわたって様々な試みがなされてきた。例えば、米国特許第２，３０９，４３１号（アレクセイ（Alexay））は、下刃だけでなく外側の肌係合刃も逆相に振動される、対の剃毛ユニットを有するドライシェーバーを開示する。肌上の切断ヘッドをこのように動かすことにより、毛受入れ開口部が肌面上を「走査」動作で移動し、その結果、切断ヘッドの下側の肌の全ての部分が毛受入れ開口部に順次一致するであろうと意図された。しかしながら、下刃は外切断ヘッド周波数の３〜５倍で往復運動されるのであるが、外切断ヘッドを３１４．１６ｒａｄ／ｓ（毎分３０００回転）（５０Ｈｚ）超過で往復運動させることは、過度の不快感を避けるために推奨できないと考えられた。更に、やや複雑なカム作動駆動組立体を使用して、外刃が反対方向に往復運動されており、このことが刃間の中ほどに静止肌領域を作り出す。この領域は、静止案内板により占有されていた。
【０００５】
英国特許第７１４，８６３号（ピーターソン（Peterson））は、２つの外刃と単一の下刃を有する器具を開示する。２つの外刃の一方は静止でもよいが、他方は、単一下刃より遅い速度で往復運動される。
【０００６】
米国特許第５，３９８，４１２号（タナハシ（Tanahashi）ら）、米国特許第５，７０４，１２６号（フランク（Franke）ら）、及び英国特許第１，３６７，４４５号（サンビーム社（Sunbeam Corporation））は全て、２つの切断ヘッドとそれらの間に配置される第三の切断ヘッドとを備える、類似の器具を開示する。３つの切断ヘッドのそれぞれの外刃は静止であって、下刃だけが往復運動される。
【０００７】
米国特許第４，１７４，５６９号（シェンク（Schenk）ら）と米国特許第３，１５６，０４５号（ゴドフロイ（Godefroy））は、単一の外側せん断刃が肌と接触しながら振動され、一方、下刃が外刃の下側で振動するという、相互に類似する提案を開示する。米国特許第２，３０９，４３１号（アレクセイ（Alexay））におけるように、下刃の振動周波数は外刃のそれよりもかなり高いが、これらの周波数についての具体的な値は与えられていない。
【０００８】
同一方法では、ＰＣＴ国際公開特許ＷＯ９８／０１２６４及びＷＯ９８／０１２６５（共にパーソナッジ（Parsonage）ら）が、長毛刃に隣接して配置され短毛刃として作用する少なくとも１つの剃毛ユニットを有する、ドライシェーバー器具を開示する。短毛刃は、固定された外刃又は薄刃と、駆動される下刃を備える。長毛刃は、駆動される外刃と、駆動される下刃を備える。この長毛刃は、隣接する短毛刃の肌係合面を肌面が横切って左右に移動するように肌面を動かすことによって、肌揺すぶり部材として作用してもよい。この動きが、毛の短毛刃への貫入を助けると共に、不快感の可能性を最小限にする。短毛下刃及び長毛下刃が共に駆動され、長毛外刃が別個に駆動できるように、別個の駆動部が設けられている。しかしながら、下刃及び外刃がそれぞれ駆動される特定の周波数比についての説明は、何もない。これらの異なる周波数比が有する可能性がある効果についても、何も説明がない。
【発明の開示】
【発明が解決しようとする課題】
【０００９】
短毛及び長毛を効果的に取り除くドライ剃毛器具を提供することが、本発明の一目的である。毛を短毛刃に供給する肌揺すぶり部材を提供することが、本発明の更なる目的である。
【課題を解決するための手段】
【００１０】
本発明の一態様において、剃毛器具が提供され、互いに協働する第一の外刃及び第一の下刃が含まれ、前記外刃がフレームに取り付けられている第一の剃毛ユニットと、肌揺すぶり部材と、筐体と、前記筐体内に取り付けられ、前記第一の下刃に連結されている駆動源であって、それに応じて７０〜２８０Ｈｚの範囲の周波数の、前記フレームに関する前記第一の下刃の振動をもたらし、前記肌揺すぶり部材に連結され、５〜５０Ｈｚの範囲の周波数の前記肌揺すぶり部材の振動をもたらすものである駆動源と、を備え、前記第一の外刃は前記フレームに対して静止している。
【００１１】
上述の構成では、第一の外刃は、取り付けられたフレームに対して固定であり、したがって、静止すなわち駆動されていない。逆に、関連する第一の下刃は、駆動されており、その結果、外刃及びフレームに対して振動する。しかしながら、フレーム及び下刃は又、振動又は他の方法で、駆動源が取り付けられた筐体に対して駆動されてもよい。
【００１２】
本発明の別の態様によれば、肌が、５〜５０Ｈｚの範囲の周波数で振動する揺すぶり部材によって揺すぶられ、同時に、静止する外刃と７０〜２８０Ｈｚの範囲の周波数で振動する下刃とを備える剃毛ユニットによって共有される剃毛方法が提供される。
【００１３】
更なる実施形態は、本明細書に付随する従属請求項で開示される。
【発明を実施するための最良の形態】
【００１４】
本発明及びその利点は、次の詳細説明及び添付図を例として参照することによって、より良く理解されるであろう。
【００１５】
図１は、剃毛器具の一実施形態を表わしており、薄刃フレーム組立体１０と、肌揺すぶり組立体としても機能する長毛外刃サブアセンブリ１２と、長毛下刃１４と、長毛下刃駆動ラッチ１６と、低速駆動連結具２６と、短毛下刃２０と、高速駆動連結具２２と、駆動部カバー２７と、シャーシモジュール２４の９つの別個のモジュールから組み立てられている。
【００１６】
薄刃フレーム組立体１０は、垂直に移動可能であるが軸方向には移動不能であるようにフレームに取り付けられた、２つの短毛外刃１０１、１０２を含む。図示する実施形態では、これらの外刃は、従来型の剃毛薄刃である。
【００１７】
それぞれの短毛下刃２０は、図１に示されるような概ね円筒形の部材を含み、これに複数の横方向スロットが設けられて複数の弧状ブレードを形成し、これが、剃毛中のせん断作用の際に、それに対して正に偏倚された対応する外刃または薄刃１０１、１０２と協働する。それぞれの刃部材は、支持体３４上に取り付けられている。この支持体３４は、軸受ブロック３６に旋回可能に連結される。以下で説明するように、運動が、高速駆動連結具２２から下刃に伝達され、支持体は、高速駆動連結具上で回転及び横移動が可能であって、薄外刃との有効な刃接触を確実にしている。
【００１８】
図示する実施形態では、肌揺すぶり組立体１２は、長毛外刃１３及び下刃１４を含む。長毛下刃１４は、下刃駆動ラッチ１６に連結され（これがラグ１５の間に係合する）、かつより大きな切断効率を確実にするために、外刃１３に向けて正に偏倚されてもよい。この駆動ラッチ１６は、高速駆動連結具２２の上側のボス３１に係合する刃駆動ピン１８の手段によって、高速駆動連結具２２に連結される。更に、短毛下刃２０が、高速駆動連結具２２上に取り付けられており、これにはスライダー２３が含まれる。このスライダーは、案内ボア２９を有する。これらのボアは、駆動部カバー２７の一部を形成する案内体２５の上に嵌って、高速駆動部が、駆動される時に、過度の垂直移動無く前後に往復して摺動することを可能にする。スライダー２３の底部には、溝４０が形成されている。この溝は、駆動機構と相互作用をするものであり、これについては、以下で更に詳細に説明される。
【００１９】
ここで長毛外刃１３に戻ると、長毛外刃は、別個の低速駆動連結具２６によって駆動される。この低速駆動連結具は２つのアーム１７を有し、それぞれがその端部に対応するスロット２１を有する。２つの駆動タブ３８が、長毛外刃サブアセンブリ１２の下面に配置されている。これらの駆動タブ３８が、アーム１７上に配置されたスロット２１の対応するものに係合する。
【００２０】
低速駆動連結具２６は、スライダー１９に連結されている。このスライダーは案内ボア９を有し、これが、上述のように駆動部カバー２７の一部を形成する案内体２５の上に嵌る。低速駆動部が、駆動される時に、過度の垂直移動無く、前後に往復して摺動できるように、案内体２５は、スライダー１９を適切な位置に保持する。スライダー１９の底部には、溝４２がある。この溝は、駆動機構と相互作用をするものであり、これについては、以下で更に詳細に説明される。
【００２１】
シャーシモジュール２４が、それぞれの端板２８、３０内の軸受開口に係合する２つの短軸（図示せず）の周りで旋回するように配置される。１つのそのような軸受開口３２が、端板２８内に示される。シャーシモジュール２４の底部が、曲面状であるのが見られるであろう。これは、剃毛器具の主本体から干渉を受けること無く、剃毛ヘッドが２つの短軸周りで旋回可能にするためである。更に、スライダー１９、２３の底部も、シャーシモジュール２４の底部の曲線に類似の曲線状である。これらの底部に形成された溝４０、４２も曲線状である。溝４０、４２の両方は、軸受開口を中心とする弧形状に広がる。これについての更なる詳細は以下で説明される。
【００２２】
図２は、図１のシェーバーの正投影断面図である。長毛外刃１３及び下刃１４を見ることができる。長毛下刃１４に運動を伝達する駆動ラッチ１６が、駆動タブ３８の間に見られるであろう。これらのタブ３８は、以下で説明するように、外刃１３に運動を伝達する。
【００２３】
図示する実施形態では、このように、長毛切断ユニット１２の２つの刃１３、１４が別個に駆動されることが見られるであろう。下刃１４は、高速駆動連結具２２により駆動され、一方、外刃１３は、駆動タブ３８を介して低速駆動連結具２６により駆動される。板ばね１７２が、下刃１４を偏倚させて外刃１３に押しつける。更なるばね１７３が、長毛刃組立体に対して弾力的な取付けをもたらし、ある程度の垂直又は「浮遊」動作を可能にする。
【００２４】
図３は、駆動機構の分解図である。この機構は、高速シャフト５６を直接駆動するモータ５８を備える。シャフト５６の端部に、ピン６８が偏心して配置されている。シャフト５６は、ギアボックスカバー５２及びヨーク５０の基部にそれぞれ設けられた、穴６４ａ及び６６ａを通る。ピン６８は、図１に関して上で説明された、スライダー２３の底部の溝４０に係合する。ピンの回転によって、溝４０ひいてはスライダー２３が、案内体２５に沿って前後に往復運動する。この運動が、次に、上で説明されたように長毛下刃１４に伝達され、その結果、これも往復運動する。更に、高速駆動連結具２２は、軸受ブロック３６にも連結されており、これが今度は、短毛下刃２０に連結される。このようにして、短毛下刃２０も高速駆動連結具２２により駆動される。
【００２５】
やはり図３に示されているのは、入力大歯車５４である。これが、高速駆動シャフト５６から駆動されて、及び今度は低速駆動シャフト６２を駆動する。回転速度が低下されているので、低速駆動シャフトは、高速駆動シャフトより低速で回転する。このことは、ギアボックス本体６０に一般的に見られるかもしれない、歯車装置の手段によってもたらされる。
【００２６】
低速駆動シャフト６２の端部には、別のピン７０がある。これも又、シャフトの軸線に対して偏心して配置されている。シャフト６２は、ギアボックスカバー５２及びヨーク５０の基部の穴を通る。ピン７０は、スライダー１９の底部に見出される溝４２に係合する。ピン７０は、回転する時に、スライダー１９を案内体２５に沿って前後に移動させる。図１に関して上で説明したように、スライダー１９が低速駆動連結具２６に連結されているので、低速駆動連結具２６も、前後に往復運動する。この運動は次に、上述のように、アーム１７、スロット２１、及び駆動タブ３８を介して長毛外刃１３に伝達され、その結果、これも往復運動の動きをする。
【００２７】
図１に関して上で説明したように、２つのスライダー１９及び２３の底部並びにこれらの内部に形成された溝４０、４２は曲線状である。それ故に、剃毛ヘッドが軸受開口３２の周りで旋回する時、剃毛ヘッドに対して静止したままであるピン６８、７０は、これらのスライダーに接触したままとなり、したがって確実に、往復運動がヘッドの旋回により妨げられることがない。
【００２８】
図示する実施形態では、長毛下刃１４は、長毛外刃１３とは別個に駆動される。これによって、刃類が、異なる速度で駆動可能になる。
【００２９】
図４は、組み立てられた剃毛ヘッドの中心線を貫く断面図を示す。このヘッドの底部の曲線形状が、明瞭に見られるであろう。更に、案内ロッド２５も、ヘッドの底部近くに明瞭に見られるであろう。やはり見ることができるのは、短毛下刃２０、短毛外刃１０１、長毛外刃１３、及び対応する長毛下刃１４である。薄刃フレーム組立体１０が、シャーシモジュール２４と組み立てられたその典型的な位置に見られるであろう。
【００３０】
ばね１７１が、短毛下刃をそれらのそれぞれの外刃（又は薄刃）に向けて正に偏倚させるように器具内に配置され、ばね１７２が、長毛下刃を長毛外刃に向けて正に偏倚させるように配置されている。
【００３１】
三重ヘッド付きシェーバー配置用の首振りヘッドフレームが図５に示され、そこでは、中央の長毛刃ユニット１２が、隣接する短毛刃ユニット１０１、１０２の間に配置されている。１つの軸受開口３２が含まれる端板２８が、ヘッドの端部の上に嵌め込まれて示される。更に、薄刃フレーム組立体が、シャーシモジュール２４の上に嵌め込まれたその典型的な位置で示されているが、シャーシモジュールそのものは、薄刃フレーム組立体１０及び端板２８があるために、見ることができない。この実施形態は又、中央の長毛刃１２の各側に配置された、肌接触部材１２１ａ、１２１ｂを包含する。この実施形態では、肌接触部材１２１ａ、１２１ｂは、長毛刃ユニット１２の外刃１３と共に駆動されることも可能である。あるいは、外刃１３を静止として、低速駆動部が、肌接触部材１２１ａ、１２１ｂだけに連結されることも可能である。
【００３２】
この実施形態では、長毛切断ユニット１２が、２つの短毛切断ユニット１０１、１０２の間に配置されている。しかしながら別の実施形態では、隣接する長毛切断ユニットと共にただ１つの短毛切断ユニットがあってもよい。
【００３３】
図示する実施形態において、いかに長毛外刃が長毛下刃及び短毛下刃の両方と別個に駆動できるかを既に説明した。この機構によって、長毛外刃の周波数は、下刃類の周波数よりも低くすることが可能になる。この長毛外刃のそのような周波数は、５〜５０Ｈｚの範囲内であってもよい。更に特定すると、この範囲は、６〜２８Ｈｚの間であってもよい。特に好ましい周波数は、１２Ｈｚである。
【００３４】
１２Ｈｚの周波数によって、比較的高い周波数で駆動される下刃と組み合わされる時、隣接する短毛刃の薄刃を通る長毛の供給が改善されることが、実験により見出された。
【００３５】
長毛外刃によりもたらされる毛供給の改善は、長毛外刃と隣接する短毛下刃との周波数の比に関係する。そのような望ましい比は、長毛外刃が隣接する短毛下刃の周波数より１桁低い周波数で駆動される際の比であることが判明した。上述のように、長毛外刃の周波数は、５〜５０Ｈｚの間の範囲内に有る。更に特定すると、この範囲は、６〜２８Ｈｚの間に有ってもよく、最も好ましくは１２Ｈｚである。それ故に、短毛下刃の周波数は、７０〜２８０Ｈｚの範囲内に有るべきである。
【００３６】
短毛及び長毛両方の下刃は、単一の駆動部によって駆動されてもよい。しかしながら、短毛下刃は又、長毛下刃とは別個に駆動されてもよい。短毛外刃は駆動されず、したがって、取り付けられたフレームに対して静止している。
【００３７】
ユーザーの顔に接触する長毛外刃の外表面は、固有の摩擦係数を有する。しかしながら、異なる材料を使用して外刃を製造することにより、又は外表面を様々な様式で、例えば異なる質感で仕上げることにより、又は外表面に付着する異なる材料を付加することによってでも、この摩擦係数が変化されてもよい。
【００３８】
より高い摩擦係数は、肌をより容易に移動させるので、隣接する短毛刃中への毛の供給を助長し、このようにして、剃毛をより綿密にする。しかしながら、そのように高い係数は又、ユーザーの不快感を増大させることがある。
【００３９】
刃の振幅を減少させることにより、不快感を増大することなく、摩擦係数を相応して増加できることが判明した。しかしながら、振幅の減少は、剃毛の綿密さ及び効率に悪影響を及ぼすことがある。したがって、振幅と摩擦係数を注意深く選定することによって、不快感と効率の間のバランスに行きつくのが好ましい。
【００４０】
振幅に関して、この用語は、振動する対象物の運動中の総変位の半分を定義するという点で、その通常の意味をもつ。本発明の場合、短毛下刃の振幅は、０．８〜１．８ｍｍの範囲であってもよい。より好ましくは、その振幅は１．２ｍｍである。長毛外刃の場合、振幅は、０．３〜１．５ｍｍの範囲内に有ってもよい。より好ましくは、その振幅は０．６ｍｍである。
【００４１】
剃毛器具の構成には、長毛刃のどちら側にも配置された短毛刃が含まれてもよいことを記さなければならない。これによって、シェーバーがどちらの方向に操作される時にも、長毛が短毛刃に供給されるであろうという点で、剃毛効率が改善される。換言すれば、長毛のこの供給は、双方向の剃毛動作と共に生じる。しかしながら、長毛刃が２つの短毛刃の側に配置された構成を有することが可能である。更に、２つの長毛刃があって均一に間隔がとられた３つの短毛刃を有する構成が考えられている。
【００４２】
図６は、長毛刃の代わりに肌接触部材１２ａを含む代替構成を示す。肌接触部材は、長毛外刃と同一の方法で駆動される。しかしながら、長毛下刃は設けられない。肌接触部材は、長毛外刃と同一周波数範囲の５〜５０Ｈｚで駆動されて、肌を揺すぶるように作用してもよい。
【００４３】
図６のこの肌接触部材１２ａと図５の部材１２１ａ、１２１ｂも、長毛外刃に対して説明されたものと同一の方法で変化された外表面の摩擦係数を有してもよい。好ましくは、肌接触部材は、金属で作製されてもよい。別の方法としては、エラストマーなどの他の材料を使用することもできる。肌接触部材の表面仕上げは又、例えばぎざぎざを付けられる、又は粗面化されてもよい。図５及び６においては、肌接触部材１２ａ、１０１ａ及び１０１ｂの表面は、僅かに粗面化されている。
【００４４】
駆動機構及び関連する歯車減速組立体に関して、１つだけではなく２つのモータを有することも可能である。第一のモータが１つの速度で駆動し、他方は異なる速度で駆動するであろう。例えば、一実施形態では、１つのモータが、図１及び３に関して上で説明したように、高速駆動連結具を駆動することもでき、一方、もう１つが低速駆動連結具を駆動するであろう。そのような配置にすると、歯車減速機構についての必要性が除かれる。
【００４５】
１つ又はより多くのモータの代わりにソレノイドが使用される、更なる構成も考えられている。周知のように、ソレノイドは、モータが作り出す回転運動とは反対に、線運動を作り出す。この線運動を使用すると、図３に関して上述の構成要素の幾つか、例えば偏心して配置されたピン６８、７０への必要性が無くなり、様々な刃を直接駆動することも可能である。
【００４６】
更になお、図面に関して首振りヘッド付きの剃毛器具が説明されたが、固定ヘッドの剃毛器具も考慮されている。そのような器具によって、剃毛ヘッドが器具本体に相対的にどのような位置にあっても、ピン６８、７０の偏心回転運動を横方向運動に伝達可能にする（このようにして、スライダー１９、２３、及び駆動連結具２２、２６を駆動する）溝４０、４２の必要がなくなる。
【００４７】
本明細書に含まれる次の参照番号は、以下に列挙される意味を有する。
参照番号  意味
０９  案内ボア
１０  フレーム組立体
１２  長毛刃ユニット
１２ａ  肌接触部材
１３  長毛外刃
１４  長毛下刃
１５  駆動ラグ
１６  長毛下刃駆動連結具
１７  アーム
１８  長毛刃駆動ピン
１９  スライダー
２０  短毛下刃
２１  スロット
２２  高速駆動連結具
２３  スライダー
２４  シャーシモジュール
２５  案内体
２６  低速駆動連結具
２７  駆動部カバー
２８、３０  端板
２９  案内スロット
３１  高速連結具上のボス
３２  軸受開口
３４  支持体
３６  軸受ブロック
３８  駆動タブ
４０  溝
４２  溝
５０  ヨーク
５２  ギアボックスカバー
５４  入力大歯車
５６  高速駆動シャフト
５８  モータ
６０  ギアボックス本体
６２  低速駆動シャフト
６４ａ  穴
６６ａ  穴
６８  ピン
７０  ピン
１０１、１０２  短毛外刃
１２１ａ、１２１ｂ  肌接触部材
１７１、１７２、１７３  偏倚ばね
【図面の簡単な説明】
【００４８】
【図１】本発明の１つの実施形態による剃毛器具の分解等角図。
【図２】図１の実施形態のシェーバーヘッドの正投影断面図。
【図３】シェーバーヘッド用の駆動システムの部分的な分解等角図。
【図４】図２のシェーバーヘッドの中心線を貫く断面図。
【図５】三重ヘッド付きシェーバー用の首振りヘッドフレームを示し、中央の長毛刃ユニットが、隣接する短毛刃ユニットの間に配置。
【図６】シェーバー用の首振りヘッドフレームを示し、肌接触部材が、隣接する短毛刃ユニットの間に配置。
【図１】
2008505738.tif 000003
【図２】
2008505738.tif 000004
【図３】
2008505738.tif 000005
【図４】
2008505738.tif 000006
【図５】
2008505738.tif 000007
【図６】
2008505738.tif 000008
【国際調査報告】
2008505738.tif 000009
2008505738.tif 000010
2008505738.tif 000011